(57)【要約】【課題】耐光性および耐水性に加え、良好な画像、とりわけ良好な色相の画像を実現できるインクジェット記録用５色インクセットを提供する。【解決手段】シアンインク組成物がＣ．Ｉ．ピグメントブルー１５：３またはＣ．Ｉ．ピグメントブルー１５：４、マゼンタインク組成物がＣ．Ｉ．ピグメントレッド１２２、Ｃ．Ｉ．ピグメントレッド２０２、Ｃ．Ｉ．ピグメントレッド２０９、またはＣ．Ｉ．ピグメントヴァイオレット１９、イエローインク組成物がＣ．Ｉ．ピグメントイエロー２１３、グリーンインク組成物がＣ．Ｉ．ピグメントグリーン７またはＣ．Ｉ．ピグメントグリーン３６、オレンジインク組成物がＣ．Ｉ．ピグメントオレンジ６４、Ｃ．Ｉ．ピグメントオレンジ４３、またはＣ．Ｉ．ピグメントオレンジ７１を含む、インクジェット記録用５色インクセット。【選択図】なし【特許請求の範囲】
【請求項１】
シアンインク組成物、マゼンタインク組成物、イエローインク組成物、グリーンインク組成物、およびオレンジインク組成物を含んでなるインクジェット記録用インクセットであって、
前記シアンインク組成物が、着色剤として、Ｃ．Ｉ．ピグメントブルー１５：３およびＣ．Ｉ．ピグメントブルー１５：４からなる群より選択される少なくとも一種の顔料を含んでなり、
前記マゼンタインク組成物が、着色剤として、Ｃ．Ｉ．ピグメントレッド１２２、Ｃ．Ｉ．ピグメントレッド２０２、Ｃ．Ｉ．ピグメントレッド２０９、およびＣ．Ｉ．ピグメントヴァイオレット１９からなる群より選択される少なくとも一種の顔料を含んでなり、  前記イエローインク組成物が、着色剤として、Ｃ．Ｉ．ピグメントイエロー２１３を含んでなり
前記グリーンインク組成物が、着色剤として、Ｃ．Ｉ．ピグメントグリーン７およびＣ．Ｉ．ピグメントグリーン３６からなる群より選択される少なくとも一種の顔料を含んでなり、そして
前記オレンジインク組成物が、着色剤として、Ｃ．Ｉ．ピグメントオレンジ６４、Ｃ．Ｉ．ピグメントオレンジ４３、およびＣ．Ｉ．ピグメントオレンジ７１からなる群より選択される少なくとも一種の顔料を含んでなる、インクセット。
【請求項２】
シアンインク組成物およびマゼンタインク組成物中の前記シアン顔料および前記マゼンタ顔料のそれぞれの濃度が、イエローインク組成物中の前記イエロー顔料の濃度よりも小さいものである、請求項１に記載のインクセット。
【請求項３】
マゼンタインク組成物中の前記マゼンタ顔料の濃度が、シアンインク組成物中の前記シアン顔料の濃度よりも大きく、かつイエローインク組成物中の前記イエロー顔料の濃度が、マゼンタインク組成物中の前記マゼンタ顔料の濃度よりも大きいものである、請求項１または２に記載のインクセット。
【請求項４】
前記全てのインク組成物中の顔料濃度が６重量％以下であり、かつシアンインク組成物中の顔料の濃度（重量％）と、マゼンタインク組成物中の顔料の濃度（重量％）と、イエローインク組成物中の顔料の濃度（重量％）と、グリーンインク組成物中の顔料の濃度（重量％）と、そしてオレンジインク組成物中の顔料の濃度（重量％）との比が、２．０〜５．０：２．５〜５．５：３．５〜６．０：２．０〜５．０：２．０〜５．０である、請求項１〜３のいずれか一項に記載のインクセット。
【請求項５】
インク組成物の液滴を吐出し、該液滴を記録媒体に付着させて印字を行うインクジェット記録方法であって、請求項１〜４のいずれか一項に記載のインクセットに含まれる少なくとも一種のインク組成物を用いる、インクジェット記録方法。
【請求項６】
請求項５に記載の方法によって印字された、記録物。
【発明の詳細な説明】
【発明の背景】
【０００１】
発明の分野
本発明はインクジェット記録方法に用いられる、シアンインク組成物、イエローインク組成物、マゼンタインク組成物、グリーンインク組成物、およびオレンジインク組成物を含んでなるインクセットに関する。
【０００２】
背景技術
インクジェット記録方法は、インク組成物の小滴を飛翔させ、紙等の記録媒体に付着させて印刷を行う印刷方法である。この方法は、比較的安価な装置で高解像度、高品位な画像を高速で印刷可能であるという特徴を有する。
【０００３】
インクジェット記録に使用されるインク組成物は、水を主成分とし、これに着色成分および目詰まり防止等の目的でグリセリン等の湿潤剤を含有したものが一般的である。インクジェット記録用インク組成物に用いられる着色剤としては、色剤の彩度の高さ、利用できる色剤の種類の豊富さ、水への溶解性などの理由から水溶性染料が数多く使用されている。
【０００４】
しかし、一方で染料は耐光性および耐水性等の諸特性に劣ることがあり、染料インク組成物により印字された印刷物は、耐光性および耐水性に劣ることになる。耐水性については、インク吸収層を有するインクジェット専用記録紙によって改善されているが、普通紙については未だ十分とは言い難い。
【０００５】
顔料は、染料に比べて耐光性および耐水性に優れており、近年、耐光性および耐水性を改善する目的でインクジェット記録用インク組成物の着色剤として利用が検討されている。ここで、顔料は一般に水には不溶であるため、顔料を水系インク組成物に利用する場合には、顔料を分散剤と呼ばれる樹脂などと共に混合し、水に安定分散させた後にインク組成物として調製する必要がある。
【０００６】
さらに、インクジェット記録用インクの着色剤として顔料の利用を考えた場合、顔料は染料に比べ耐光性および耐水性に優れている反面、利用できる色剤の種類が染料に比べ少ない。実際にインクジェット記録用インクとして利用する場合には、耐光性および耐水性以外に色相についても十分検討する必要がある。例えば、特開２０００−３４５０８０号公報（特許文献１）には、耐光性に優れる特定の顔料および発色性に優れる二種の特定顔料を組み合わせたイエローインク組成物が提案されている。また、特開平１０−１２０９５６号公報（特許文献２）では、特定の顔料を含むシアン、マゼンタ、イエローインク組成物を組合せたインクセットとすることにより、耐光性および耐水性に加え、良好な画像、とりわけ良好な色相の画像を実現できることが提案されている。
【０００７】
さらに、ＷＯ１９９９／００５２３０号公報（特許文献３）では、シアンインク組成物、マゼンタインク組成物、イエローインク組成物およびブラックインク組成物並びにオレンジインク組成物およびグリーンインク組成物を組み合せたインクセットとすることにより、耐光性および耐水性に加え、良好な画像、とりわけ良好な色相の画像を実現できることが提案されている。
【０００８】
また、特開２００６−２８３０１７号公報（特許文献４）には、４５０nm以上５００nm未満の領域に最大吸収波長を有する第１のインクと、５００nm以上５７０nm以下の領域に最大吸収波長を有する第２のインクとを有し、且つ４５０nm以上５７０nm以下の領域における、上記第１のインク及び上記第２のインクの吸光度を合算した時の最大吸光度をＡ、最小吸光度をＢとした場合に、Ｂ／Ａの値が０．７以上１．０以下であるインクセットを用いて画像を形成することにより、発色性や色再現範囲、特には赤領域の色再現性を拡大することができ、更には、良好な階調性を表現した画像を形成できることが提案されている。
【特許文献１】特開２０００−３４５０８０号公報
【特許文献２】特開平１０−１２０９５６号公報
【特許文献３】ＷＯ１９９９／００５２３０号公報
【特許文献４】特開２００６−２８３０１７号公報
【発明の概要】
【０００９】
本発明者等は、今般、カラーインクジェット記録方法において、特定の顔料を含むイエローインク組成物、マゼンタインク組成物、シアンインク組成物、グリーンインク組成物、およびオレンジインク組成物を組み合わせたインクセットとすることにより、イエローインク顔料として複数の顔料を用いなくとも、耐光性および耐水性に加え、良好な画像、とりわけ良好な色相の画像を実現できるとの知見を得た。本発明はこれら知見に基づくものである。
【００１０】
従って、本発明は、耐光性および耐水性に加え、良好な画像、とりわけ良好な色相の画像を実現できるインクジェット記録用インクセットの提供をその目的としている。
【００１１】
そして本発明によるインクジェット記録用インクセットは、シアンインク組成物、マゼンタインク組成物、イエローインク組成物、グリーンインク組成物、およびオレンジインク組成物を含んでなるインクジェット記録用インクセットであって、
前記シアンインク組成物が、着色剤として、Ｃ．Ｉ．ピグメントブルー１５：３およびＣ．Ｉ．ピグメントブルー１５：４からなる群より選択される少なくとも一種の顔料を含んでなり、
前記マゼンタインク組成物が、着色剤として、Ｃ．Ｉ．ピグメントレッド１２２、Ｃ．Ｉ．ピグメントレッド２０２、Ｃ．Ｉ．ピグメントレッド２０９、およびＣ．Ｉ．ピグメントヴァイオレット１９からなる群より選択される少なくとも一種の顔料を含んでなり、  前記イエローインク組成物が、着色剤として、Ｃ．Ｉ．ピグメントイエロー２１３を含んでなり
前記グリーンインク組成物が、着色剤として、Ｃ．Ｉ．ピグメントグリーン７およびＣ．Ｉ．ピグメントグリーン３６からなる群より選択される少なくとも一種の顔料を含んでなり、そして
前記オレンジインク組成物が、着色剤として、Ｃ．Ｉ．ピグメントオレンジ６４、Ｃ．Ｉ．ピグメントオレンジ４３、およびＣ．Ｉ．ピグメントオレンジ７１からなる群より選択される少なくとも一種の顔料を含んでなるものである。
【００１２】
また、本発明によるインクジェット記録方法は、インク組成物の液滴を吐出し、該液滴を記録媒体に付着させて印字を行うインクジェット記録方法であって、上記のインクセットに含まれる少なくとも一種のインク組成物を用いるものである。
【００１３】
本発明によれば、耐光性および耐水性に加え、良好な画像、とりわけ良好な色相の画像を実現できる。
【発明の具体的説明】
【００１４】
本発明によるインクセットは、シアンインク組成物、マゼンタインク組成物、イエローインク組成物、グリーンインク組成物、およびオレンジインク組成物を含み、それら各インク組成物に着色剤として特定の顔料が含まれているものである。以下、本発明によるインクセットを構成する各インク組成物について説明する。
【００１５】
イエローインク組成物
本発明によるインクセットに用いられるイエローインク組成物は、着色剤としてＣ．Ｉ．ピグメントイエロー２１３を含む。このイエロー顔料を含むイエローインク組成物を、後記するマゼンタインク組成物、シアンインク組成物、グリーンインク組成物、およびオレンジインク組成物と組み合わせて用いることにより、耐光性および耐水性に加え、良好な画像、とりわけ良好な色相の画像を実現できる。
【００１６】
特に、複数のイエロー顔料、例えば、耐光性に優れるイエロー顔料（例えば、Ｃ．Ｉ．ピグメントイエロー１２８やＣ．Ｉ．ピグメントイエロー１１０）と、発色性に優れるイエロー顔料（例えば、Ｃ．Ｉ．ピグメントイエロー７４）との組み合わせを用いなくとも、イエロー顔料としてＣ．Ｉ．ピグメントイエロー２１３のみを含むイエローインク組成物を用いれば、耐光性および耐水性に加えて、とりわけ良好な色相の画像が得られることは意外であり、本発明の利点である。また、本発明においては、複数の顔料を含むイエローインク組成物を用いずに済むため、インク組成物の調整や、インクジェット記録を簡便に行うことができる、という利点も有する。
【００１７】
本発明において用いられるイエローインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００１８】
上記顔料は、分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００１９】
高分子分散剤の好ましい例として合成高分子が挙げられ、ポリビニルアルコール類、ポリビニルピロリドン類、ポリアクリル酸、アクリル酸／アクリロニトリル共重合体、アクリル酸カリウム／アクリロニトリル共重合体、酢酸ビニル／アクリル酸エステル共重合体、アクリル酸／アクリル酸エステル共重合体などのアクリル酸系樹脂、スチレン／アクリル酸共重合体、スチレン／メタクリル酸共重合体、スチレン／メタクリル酸／アクリル酸エステル共重合体、スチレン／α−メチルスチレン／アクリル酸共重合体、スチレン／α−メチルスチレン／アクリル酸／アクリル酸エステル共重合体などのスチレン−アクリル樹脂、スチレン／マレイン酸共重合体、スチレン／無水マレイン酸共重合体、ビニルナフタレン／アクリル酸共重合体、ビニルナフタレン／マレイン酸共重合体、および酢酸ビニル／エチレン共重合体、酢酸ビニル／脂肪酸ビニル／エチレン共重合体、酢酸ビニル／マレイン酸エステル共重合体、酢酸ビニル／クロトン酸共重合体、酢酸ビニル／アクリル酸共重合体などの酢酸ビニル系共重合体およびそれらの塩が挙げられる。これらの中で、特に疎水性基を持つモノマーと親水性基を持つモノマーとの共重合体、および疎水性基と親水性基を分子構造中に併せ持ったモノマーからなる重合体、例えばスチレン／アクリル酸共重合体またはその塩が好ましい。
【００２０】
本発明の好ましい態様によれば、イエローインク組成物は有機溶媒を含んでなるのが好ましい。この有機溶媒は、好ましくは低沸点有機溶剤であり、その好ましい例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インク組成物の乾燥時間を短くする効果がある。
【００２１】
また、本発明の好ましい態様によれば、本発明に使用するインク組成物は、さらに高沸点有機溶媒を含んでなることが好ましい。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテルなどの多価アルコールのアルキルエーテル類、尿素、２−ピロリドン、Ｎ−メチル−２−ピロリドン、１，３−ジメチル−２−イミダゾリジノン、トリエタノールアミンなどがあげられる。
【００２２】
低沸点有機溶剤の添加量はインク組成物の０．５〜１０重量％が好ましく、より好ましくは１．５〜６重量％の範囲である。また、高沸点有機溶媒の添加量は、インク組成物の０．５〜４０重量％が好ましく、より好ましくは２〜２０重量％の範囲である。
【００２３】
本発明の好ましい態様によれば、本発明によるイエローインク組成物は、界面活性剤を含むことができる。好ましい界面活性剤の例としては、アニオン性界面活性剤（例えばドデシルベンゼルスルホン酸ナトリウム、ラウリル酸ナトリウム、ポリオキシエチレンアルキルエーテルサルフェートのアンモニウム塩など）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなど）があげられ、これらを単独または二種以上を混合して用いることができる。また、アセチレングリコール（オレフィンＹ、ならびにサーフィノール８２、１０４、４４０、４６５、および４８５（いずれもAir Products and Chemicals Inc. 製））を用いることも可能である。
【００２４】
さらに好ましい界面活性剤の例としては、市販のシリコン系界面活性剤BYK-347またはBYK-348（いずれもビックケミー・ジャパン株式会社製）が挙げられる。
【００２５】
その他、必要に応じて、ｐＨ調整剤、防腐剤、防かび剤等を添加しても良い。
【００２６】
マゼンタインク組成物
本発明によるインクセットに用いられるマゼンタインク組成物は、着色剤として、Ｃ．Ｉ．ピグメントレッド１２２、Ｃ．Ｉ．ピグメントレッド２０２、Ｃ．Ｉ．ピグメントレッド２０９、およびＣ．Ｉ．ピグメントヴァイオレット１９からなる群より選択される少なくとも一種の顔料を含んでなる。これらの顔料の中でも、特に、Ｃ．Ｉ．ピグメントレッド１２２を含んでなることが好ましい。これら特定のマゼンタ顔料を含むマゼンタインク組成物を、上記イエローインク組成物、後記のシアンインク組成物、グリーンインク組成物、およびオレンジインク組成物と組み合わせて用いることにより、耐光性および耐水性に加え、良好な画像、とりわけ良好な色相の画像を実現できる。
【００２７】
本発明によるインクセットを構成する上記マゼンタインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００２８】
また、上記マゼンタインク組成物は、上記イエローインク組成物と同様に、上記顔料を分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００２９】
また、本発明によるマゼンタインク組成物は、イエローインク組成物と同様に、有機溶媒、界面活性剤、ｐＨ調整剤、防腐剤、防かび剤等を含んでなるのが好ましい。これらの具体例およびその添加量は、イエローインク組成物の場合と同様であってよい。
【００３０】
シアンインク組成物
本発明によるインクセットに用いられるシアンインク組成物は、着色剤として、Ｃ．Ｉ．ピグメントブルー１５：３およびＣ．Ｉ．ピグメントブルー１５：４からなる群より選択される少なくとも一種の顔料を含んでなる。これらの顔料の中でも、特に、Ｃ．Ｉ．ピグメントブルー１５：４を含んでなることが好ましい。これら特定のシアン顔料を含むシアンインク組成物を、上記のイエローインク組成物、マゼンタインク組成物、後記のグリーンインク組成物、およびオレンジインク組成物と組み合わせて用いることにより、耐光性および耐水性に加え、良好な画像、とりわけ良好な色相の画像を実現できる。
【００３１】
本発明によるインクセットを構成する上記シアンインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００３２】
また、上記シアンインク組成物は、上記イエローインク組成物と同様に、上記顔料を分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００３３】
また、本発明によるシアンインク組成物は、イエローインク組成物と同様に、有機溶媒、界面活性剤、ｐＨ調整剤、防腐剤、防かび剤等を含んでなるのが好ましい。これらの具体例およびその添加量は、イエローインク組成物の場合と同様であってよい。
【００３４】
グリーンインク組成物
本発明によるインクセットに用いられるグリーンインク組成物は、着色剤として、Ｃ．Ｉ．ピグメントグリーン７およびＣ．Ｉ．ピグメントグリーン３６からなる群より選択される少なくとも一種の顔料を含んでなる。これらの顔料の中でも、特に、Ｃ．Ｉ．ピグメントグリーン３６を含んでなることが好ましい。これら特定のグリーン顔料を含むグリーンインク組成物を、上記のイエローインク組成物、マゼンタインク組成物、シアンインク組成物、および後記のオレンジインク組成物と組み合わせて用いることにより、耐光性および耐水性に加え、良好な画像、とりわけ良好な色相の画像を実現できる。
【００３５】
本発明によるインクセットを構成する上記グリーンインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００３６】
また、上記グリーンインク組成物は、上記イエローインク組成物と同様に、上記顔料を分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００３７】
また、本発明によるグリーンインク組成物は、上記イエローインク組成物と同様に、有機溶媒、界面活性剤、ｐＨ調整剤、防腐剤、防かび剤等を含んでなるのが好ましい。これらの具体例およびその添加量は、イエローインク組成物の場合と同様であってよい。
【００３８】
オレンジインク組成物
本発明によるインクセットに用いられるオレンジインク組成物は、着色剤として、Ｃ．Ｉ．ピグメントオレンジ６４、Ｃ．Ｉ．ピグメントグリーン４３、およびＣ．Ｉ．ピグメントグリーン７１からなる群より選択される少なくとも一種の顔料を含んでなる。これらの顔料の中でも、特に、Ｃ．Ｉ．ピグメントオレンジ６４を含んでなることが好ましい。これら特定のオレンジ顔料を含むオレンジインク組成物を、上記のイエローインク組成物、マゼンタインク組成物、シアンインク組成物、およびグリーンインク組成物と組み合わせて用いることにより、耐光性および耐水性に加え、良好な画像、とりわけ良好な色相の画像を実現できる。
【００３９】
本発明によるインクセットを構成する上記オレンジインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００４０】
また、上記オレンジインク組成物は、上記イエローインク組成物と同様に、上記顔料を分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００４１】
また、本発明によるオレンジインク組成物は、上記イエローインク組成物と同様に、有機溶媒、界面活性剤、ｐＨ調整剤、防腐剤、防かび剤等を含んでなるのが好ましい。これらの具体例およびその添加量は、イエローインク組成物の場合と同様であってよい。
【００４２】
インクセット
本発明によるインクセットは、上記各インク組成物から構成される。本発明においては、シアンインク組成物およびマゼンタインク組成物中の前記シアン顔料および前記マゼンタ顔料のそれぞれの濃度が、イエローインク組成物中の前記イエロー顔料の濃度よりも小さいことが好ましい。シアン顔料およびマゼンタ顔料の濃度を、イエロー顔料の濃度よりも小さくすることにより、画像の色再現性がより改善される。
【００４３】
また、本発明においては、マゼンタインク組成物中の前記マゼンタ顔料の濃度が、シアンインク組成物中の前記シアン顔料の濃度よりも大きく、かつイエローインク組成物中の前記イエロー顔料の濃度が、マゼンタインク組成物中の前記マゼンタ顔料の濃度よりも大きいことが好ましい。イエロー、マゼンタ、オレンジまたはグリーン、シアンの順に顔料の濃度を高くすることにより、より一層良好な色再現性を実現できる。
【００４４】
本発明の好ましい態様によれば、本発明によるインクセットは、全てのインク組成物中の顔料濃度が６重量％以下であり、かつシアンインク組成物中の顔料の濃度（重量％）と、マゼンタインク組成物中の顔料の濃度（重量％）と、イエローインク組成物中の顔料の濃度（重量％）と、グリーンインク組成物中の顔料の濃度（重量％）と、そしてオレンジインク組成物中の顔料の濃度（重量％）との比が、２．０〜５．０：２．５〜５．５：３．５〜６．０：２．０〜５．０：２．０〜５．０であることが好ましい。より好ましくは２．５〜５．０：３．５〜５．５：４．０〜６．０：２．０〜５．０：２．０〜５．０である。この態様によれば、より改善された色相を有する画像を実現することができる。
【００４５】
本発明によるインクセットは、上記した各インク組成物に加えて、他のインク組成物を含むカラー記録用インクセットとしてもよい。他のインク組成物としては、本発明によるインクセットとしての効果を損なわない限り、それらの種類等に特に制限されず、通常のインクジェット記録用に用いられるものが使用できる。
【００４６】
また、他のカラーインク組成物としては、ライトシアン、ライトマゼンタ、ダークイエロー、レッド、ブルー、バイオレット等をインクセットに含めることもできる。なお、「ライトマゼンタ」および「ライトシアン」の各インク組成物とは、一般的には、濃度変調による印刷画像の画質向上を目的に、それぞれマゼンタインク組成物、およびシアンインク組成物の色材濃度を低くしたインク組成物である。また、「ダークイエロー」のインク組成物とは、シャドー部等の暗色に対する色再現性を向上させる目的で、イエローインク組成物よりも明度・彩度の低い色材（顔料）を用いたイエローインク組成物である。そして、「レッド」、「ブルー」、および「バイオレット」の各インク組成物は、色再現範囲を向上させるために、イエロー、マゼンタ、シアンの中間色を構成する要素として使用されるインク組成物である。
【００４７】
本発明によるインクセットは、従来公知のインクセットと同様に構成することができ、従来公知の各種の記録方法用インクとして利用することができる。特に、本発明においては、比較的安価な装置で高解像度、高品位な画像を高速で印刷可能である点で、インクジェット記録用、即ちインクの小滴を飛翔させ、紙等の記録媒体に付着させて印刷を行う用途に好適である。
【００４８】
インクジェット記録方法
本発明によるインクセットを用いるインクジェット記録方法は、インク組成物の液滴を吐出し、該液滴を加熱された記録媒体に付着させて印字を行うものである。各インク組成物の液滴を吐出する方法の例としては、例えば電歪素子を用いて電気信号を機械信号に変換して、ノズルヘッド部分に貯えたインクを断続的に吐出して記録媒体表面に文字や記号を記録する方法、ノズルヘッド部分に貯えたインクを吐出部分に極めて近い箇所で急速に加熱し泡を発生させ、その泡による体積膨張で断続的に吐出することで記録媒体表面に文字や記号を記録する方法が挙げられる。本発明の好ましい態様によれば、本発明によるインクセットは、電歪素子を用いたインクジェット記録方法に好ましく用いられる。各インク組成物の液滴を吐出は、圧電素子の力学的作用を利用してインク滴を吐出させる記録ヘッドにより行われることが好ましい。
【００４９】
また、本発明によれば、上記記録方法により記録された記録物も提供される。
【実施例】
【００５０】
本発明を以下の実施例により更に詳細に説明するが、本発明はこれらの例に限定されるものではない。
【００５１】
インク組成物の調整
下記表１の組成に従い各成分を混合し、１０μｍのメンブランフィルターでろ過することにより、各インクを調製した。なお、表中の数値はインク中の含有量（重量基準％）を表す。
【表１】
2009173853.tif 000002
【表２】
2009173853.tif 000003
【００５２】
評価１：色再現性
得られた各インク組成物を下記表３に示すような組合せとしてインクセット１〜１０を構成した。各インクセットについて、インクジェットプリンタＰＸ−Ｇ９００（セイコーエプソン社製）を用いて、４００パッチからなる専用の出力パターンを印刷した。印刷物全てのパッチの測色を行い、Ｌ＊ａ＊ｂ＊の３Ｄ空間の中での体積を算出した。算出されたＧｕｍａｔＶｏｌｕｍｅは無次元である。色再現性の評価は、算出したＧｕｍａｔＶｏｌｕｍｅの値により、以下の判定基準により行った。
Ａ：８３万以上
Ｂ：７８万以上、８３万未満
Ｃ：７３万以上、７８万未満
Ｄ：７３万未満
評価結果は、次の表３に記載の通りであった。
【００５３】
評価２：インクセットにおける耐光性
得られた各インク組成物を下記表３に示すような組合せとしてインクセットを構成した。各インクセットについて、評価１と同様にして、４００パッチからなる専用の出力パターンを印刷した。得られた印刷物を、耐光性試験機（蛍光灯耐光性試験機、スガ試験機株式会社製）のチャンバー内に投入し２４℃、湿度６０％の環境下に４０日間放置した後、印刷物全てのパッチの測色を行い、Ｌ＊ａ＊ｂ＊の３Ｄ空間の中での体積を算出した。算出されたＧｕｍａｔＶｏｌｕｍｅは無次元である。残存率を式（１）から求め、その結果から下記評価基準に基づき判定をした。なお、用いた蛍光灯耐光性試験機は、蛍光灯６０本から構成され、印刷面の照度を７万ルクスに制御して暴露試験を行うことができるものである。
残存率＝〔１−｛（評価１で算出したGumatVolume(A)−評価２で算出したGumatVolume(B)）／評価１で算出したGumatVolume(A) ｝ 〕×１００  （１）
ＡＡ：残存率が９５％以上
Ａ：残存率が９０％以上
Ｂ：残存率が８０％以上
Ｃ：残存率が７０％以上
評価結果は次の表３に記載の通りであった。
【表３】
2009173853.tif 000004